(57)【要約】【課題】  患者に使用した注射針を医療従事者等の人体に全く触れなくても容器に収納することができるようにした使用済み注射針の処理容器を提供する。【解決手段】  容器本体１５０と、容器本体１５０の上部に被着する蓋本体１１０と、容器本体１５０を板面Ｄに粘着可能に固定するシート材１４０とからなり、蓋本体１１０の上面に注射器の針装着部から使用済み注射針を取り外すための開口部１３０を設け、蓋本体１１０を被着した容器本体１５０をシート材１４０により板面Ｄに着脱可能に固定した状態において、開口部１３０で注射器１３１から注射針Ｎを外すときに作用する力が、容器本体１５０と蓋本体１１０との嵌合力及び容器本体１５０と板面Ｄとの固定力より充分に小さくて、注射器から注射針を人体に触れることなく外して容器本体に収納するようにしたものである。【選択図】  図１
2006247091.tif 000002
【特許請求の範囲】
【請求項１】
容器本体と、前記容器本体の上部に被着する蓋本体と、前記容器本体を板面に着脱可能に固定するシート材とからなり、前記蓋本体の上面に注射器の針装着部から使用済み注射針を取り外すための開口部を設け、前記蓋本体を被着した容器本体をシート材により板面に着脱可能に固定した状態において、前記開口部で注射器から注射針を外すときに作用する力が、容器本体と蓋本体との嵌合力及び容器本体と板面との固定力より充分に小さくて、注射器から注射針を、人体に全く触れることなく開口部により外して容器本体に収納するようにした構成であることを特徴とする使用済み注射針の処理容器。
【請求項２】
前記シート材は、表面及び裏面に粘着層が設けられている両面粘着テープで、前記両面粘着テープの一方の粘着層を容器本体の底部下面に粘着するとともに、他方の粘着層を板面に粘着して、容器本体が前記板面に着脱可能に固定される構成であることを特徴とする請求項１に記載の使用済み注射針の処理容器。
【請求項３】
前記両面粘着テープは、表面及び裏面の粘着層に剥離シートが剥離可能に貼着されており、この剥離シートを剥がしてから容器本体の底部下面および板面に粘着して、容器本体が前記板面に着脱可能に固定される構成であることを特徴とする請求項２に記載の使用済み注射針の処理容器。
【請求項４】
前記両面粘着テープは、一方の粘着層が前記容器本体の底部の下面に予め粘着されているとともに、他方の粘着層に剥離シートが粘着されていて、使用時に前記剥離シートを剥がして前記粘着層を板面に粘着することにより、容器本体が前記板面に着脱可能に固定される構成であることを特徴とする請求項２に記載の使用済み注射針の処理容器。
【請求項５】
前記シート材は、一組の係合シートからなる面ファスナーであって、一方の係合シートを容器本体の底部下面に粘着するとともに、他方の係合シートを板面に粘着して、容器本体が前記面ファスナーにより前記板面に着脱可能に固定される構成であることを特徴とする請求項１に記載の使用済み注射針の処理容器。
【請求項６】
前記面ファスナーは、一組の係合シートが互いの係合面で係合し、各係合シートの裏面に粘着層を有し、容器本体の底部の下面と一方の係合シートの粘着層との剥離強度をＳ１、両係合シートの各係合面の係合状態における剥離強度をＳ２、板面と他方の係合シートの粘着層との剥離強度をＳ３とすると、各剥離強度の関係がＳ２＞Ｓ３＞Ｓ１であり、前記面ファスナーの一方の係合シートを底部下面に粘着するとともに、前記面ファスナーの他方の係合シートを板面に粘着して、容器本体が前記板面に着脱可能に固定される構成であることを特徴とする請求項５に記載の使用済み注射針の処理容器。
【請求項７】
前記容器本体は、医療用テーブル、移動用ワゴンなどに設置可能な卓上用であることを特徴とする請求項１乃至６の何れか１項に記載の使用済み注射針の処理容器。
【発明の詳細な説明】
【技術分野】
【０００１】
本発明は、患者に使用した注射器の注射針を、医師や看護婦等の医療従事者やその周囲の従事者が指先や手などの人体に全く触れることなく、しかもきわめて簡単に確実に収納することができるようにした使用済み注射針の処理容器に関するものである。
【背景技術】
【０００２】
患者に使用した注射器によって医師や看護婦等の医療従事者やその周囲の従事者がエイズ、B型肝炎等の病原菌の２次感染を防止するため、使用済みの注射針をなるべく人体に触れないようにして廃棄処理している。
【０００３】
しかし、医師や看護婦等の医療従事者やその周囲の従事者が使用済みの注射器の取り扱いについて最大限注意しても、操作ミスにより注射針が誤って指先、手の平などに刺さり、２次感染する事故が希に発生する。
【０００４】
そのため、蓋部と容器部とを有し、蓋部には注射器本体と注射針との連結部の径より大きい径を有する挿入孔と、該挿入孔に連設された連結部の径より小さくて注射器の針連結用小径部の径より大きい幅を有する案内溝と、該案内溝に隣設されて注射器本体の下端に当接する針分離用当接部を有する注射針廃棄容器が知られている。（特許文献１参照）
【特許文献１】特開平５−２１２１１３号公報
【発明の開示】
【発明が解決しようとする課題】
【０００５】
しかし、従来の上記した注射針廃棄用容器では、医師や看護婦等の医療従事者やその周囲の従事者が注射器の針装着部から使用済み注射針を取り外して廃棄用容器に投入する際に、廃棄用容器を手で押さえているので誤って注射針が刺さったり、廃棄用容器が転倒して注射針が散乱する事故や、操作ミスにより不要な力を加えて注射針を誤って指先、手の平などに刺してしまう事故を起こす危険がある。また、従来から実用化されている廃棄用容器は床置き構造であって使い勝手が良くない。そのため、廃棄用容器は、特に医療用テーブルや、移動用ワゴンの卓上用であって、手を触れなくても簡単に、確実に注射針を廃棄用容器に収納することができるような要望事項が医療現場から出されていた。
【０００６】
本発明は、使用済み注射針の処理容器を改善し、特に容器を手で押さえることなく、しかも患者に使用した注射針を医師や看護婦等の医療従事者やその周囲の従事者の人体に全く触れなくても容器に収納することができ、しかも注射器の針装着部の径の寸法に関係なく注射器から注射針を外し収納するようにした実用的価値の大きい使用済み注射針の処理容器を提供するものである。
【課題を解決するための手段】
【０００７】
上記課題を解決するために請求項１に記載の発明は、容器本体と、前記容器本体の上部に被着する蓋本体と、前記容器本体を板面に着脱可能に固定するシート材とからなり、前記蓋本体の上面に注射器の針装着部から使用済み注射針を取り外すための開口部を設け、前記蓋本体を被着した容器本体をシート材により板面に着脱可能に固定した状態において、前記開口部で注射器から注射針を外すときに作用する力が、容器本体と蓋本体との嵌合力及び容器本体と板面との固定力より充分に小さくて、注射器から注射針を、人体に全く触れることなく開口部により外して容器本体に収納するようにした構成であることを特徴とする使用済み注射針の処理容器である。
【０００８】
また、請求項２に記載の発明は、前記シート材は、表面及び裏面に粘着層が設けられている両面粘着テープで、前記両面粘着テープの一方の粘着層を容器本体の底部下面に粘着するとともに、他方の粘着層を板面に粘着して、容器本体が前記板面に着脱可能に固定される構成であることを特徴とする請求項１に記載の使用済み注射針の処理容器である。
【０００９】
また、請求項３に記載の発明は、前記両面粘着テープは、表面及び裏面の粘着層に剥離シートが剥離可能に貼着されており、この剥離シートを剥がしてから容器本体の底部下面および板面に粘着して、容器本体が前記板面に着脱可能に固定される構成であることを特徴とする請求項２に記載の使用済み注射針の処理容器である。
【００１０】
また、請求項４に記載の発明は、前記両面粘着テープは、一方の粘着層が前記容器本体の底部の下面に予め粘着されているとともに、他方の粘着層に剥離シートが粘着されていて、使用時に前記剥離シートを剥がして前記粘着層を板面に粘着することにより、容器本体が前記板面に着脱可能に固定される構成であることを特徴とする請求項２に記載の使用済み注射針の処理容器である。
【００１１】
また、請求項５に記載の発明は、前記シート材は、一組の係合シートからなる面ファスナーであって、一方の係合シートを容器本体の底部下面に粘着するとともに、他方の係合シートを板面に粘着して、容器本体が前記面ファスナーにより前記板面に着脱可能に固定される構成であることを特徴とする請求項１に記載の使用済み注射針の処理容器である。
【００１２】
また、請求項６に記載の発明は、前記面ファスナーは、一組の係合シートが互いの係合面で係合し、各係合シートの裏面に粘着層を有し、容器本体の底部の下面と一方の係合シートの粘着層との剥離強度をＳ１、両係合シートの各係合面の係合状態における剥離強度をＳ２、板面と他方の係合シートの粘着層との剥離強度をＳ３とすると、各剥離強度の関係がＳ２＞Ｓ３＞Ｓ１であり、前記面ファスナーの一方の係合シートを底部下面に粘着するとともに、前記面ファスナーの他方の係合シートを板面に粘着して、容器本体が前記板面に着脱可能に固定される構成であることを特徴とする請求項５に記載の使用済み注射針の処理容器である。
【００１３】
また、請求項７に記載の発明は、前記容器本体は、医療用テーブル、移動用ワゴンなどに設置可能な卓上用であることを特徴とする請求項１乃至６の何れか１項に記載の使用済み注射針の処理容器である。
【発明の効果】
【００１４】
本発明の使用済み注射針の処理容器によれば、処理容器を医療用テーブルや、移動用ワゴンの卓上などの板面に着脱可能に固定し、注射針を廃棄するときには、注射器や注射針及び処理容器に人体が全く触れることなく、しかも注射器の針装着部の径の寸法に関係なく収納することができるばかりでなく、使用済みの処理容器を新しい処理容器に交換する際に、医療用テーブルや、移動用ワゴンの卓上などの板面への取り外しや取り付けが容易に行えるものである。
【００１５】
また、処理容器の寸法を医療用テーブルや、移動用ワゴンの卓上用に設計することにより患者に注射した際、直ちに使用済み注射針を処理容器に収納することができるので使い勝手が良いばかりでなく医療従事者の指先、手の平などに刺してしまう針刺し事故を確実に防止できる。
【発明を実施するための最良の形態】
【００１６】
以下、図面に基づいて本発明の実施例１〜４を説明する。実施例１〜４において、処理容器の固定手段としては両面に粘着層を設けたシート材を採用しているが、実施例１，２ではシート材として面ファスナーを使用し、また、実施例３，４ではシート材として両面テープを使用した。
【実施例１】
【００１７】
図１（ａ），（ｂ）は本発明に係る処理容器１００の実施例１の斜視図である。図１において、処理容器１００は固定手段として市販の面ファスナー１４０を使用し、医療用テーブル、移動用ワゴンの卓上などの板面Ｄに固定されている。
【００１８】
処理容器１００は、上面の蓋本体１１０に注射器１３１の針装着部１３２から使用済み注射針Ｎを取り外すための開口部１３０が設けられている。そして、一対の係合シート１４１，１４２からなる面ファスナー１４０の一方の係合シート１４１を容器本体１５０の底部の下面１５１に取り付け、また、面ファスナー１４０の他方の係合シート１４２を医療用テーブル、移動用ワゴンの卓上などの板面Ｄに取り付けることにより、処理容器１００を着脱可能に固定する。
【００１９】
前記面ファスナー１４０は、裏面に粘着層１４１ｂが設けられ表の係合面１４１ａに多数のループ状係合素子が立設されている雌係合シート１４１と、裏面に粘着層１４２ｂが設けられ表の係合面１４２ａに多数のフック状係合素子が立設されている雄係合シート１４２とで構成されている。
【００２０】
図６で示すように、前記面ファスナー１４０によって容器本体１５０を板面Ｄに着脱可能に固定状態において、容器本体１５０の底部の下面１５１と雌係合シート１４１の裏面の粘着層１４１ｂとの剥離強度をＳ１、雌係合シート１４１と雄係合シート１４２の各係合面１４１ａ，１４２ａの係合による剥離強度をＳ２、また、板面Ｄと雄係合シート１４２の裏面の粘着層１４２ｂの剥離強度をＳ３とした場合に、３者間の剥離強度の関係は、Ｓ２＞Ｓ３＞Ｓ１が望ましい。
【００２１】
前記処理容器１００を板面Ｄに着脱可能に固定する場合、雌係合シート１４１と雄係合シート１４２との係合面１４１ａおよび１４２ａを予め係合させておき、先ず雄係合シート１４２の裏面粘着層１４２ｂを板面Ｄの所定の位置に貼着する。そして、処理容器１００の底部の下面１５１を雌係合シート１４１の裏面粘着層１４１ｂに接合する。この操作により、面ファスナー１４０によって処理容器１００を板面Ｄに直立状に支持することができるので、注射針を全く人体に触れることなく処理容器に収納することができる。また、雌係合シート１４１と雄係合シート１４２との係合を外すことにより、若しくは面ファスナーを板面から外すことにより、処理容器１００を板面から取り外すことができるので、処理容器１００に注射針などが充満した場合にそのまま廃棄業者に渡すことができる。
なお、前記処理容器１００を板面Ｄに着脱可能に固定する他の例としては、雌係合シート１４１と雄係合シート１４２に分離させておき、雄係合シート１４２を板面Ｄの所定の位置に粘着したら、雌係合シート１４１を処理容器１００の底部の下面１５１に粘着し、処理容器１００を雄係合シート１４２の表面にあてがって雌係合シート１４１と雄係合シート１４２の各係合面１４１ａ，１４２ａを係合することもできる。
【００２２】
なお、板面に処理容器を固定する面ファスナー１４０は、処理容器１００の底面の大きさよりも小さいものを使用すれば、処理容器１００を使用中に汚損液などが表面を伝わって流れ落ちても、面ファスナー１４０に付着しないので劣化することがなく、処理容器１００を複数回交換してもその使用に充分に耐えることができる。
【００２３】
また、この場合、処理容器１００は、底部の下面１５１が雌係合シート１４１の裏面の粘着層１４１ｂにより固定されており、同時に、雌係合シート１４１と雄係合シート１４２が係合して固定され、さらに、雄係合シート１４２の裏面の粘着層１４２ｂが板面Ｄに粘着により固定されている。しかし、底部の下面１５１と粘着層１４１ｂとの固定、係合シート１４１と雄係合シート１４２の各係合面１４１ａ，１４２ａ間の係合による固定、および板面Ｄと粘着層１４２ｂとの粘着による固定の、３者間の固定部分の剥離強度は、容器本体１５０の底部の下面１５１と粘着層１４１ｂとの固定による剥離強度Ｓ１が一番弱い。したがって、使用済の処理容器１００を廃棄する際に処理容器１００を傾けたり持ち上げれば、使用済の処理容器１００は、雌係合シート１４１の裏面の粘着層１４１ｂで剥離されて、雌係合シート１４１と雄係合シート１４２が係合した状態で面ファスナー１４０が板面Ｄに固着されたままであり、処理容器１００は底部に面ファスナー１４０を付着しない状態で板面Ｄから取り外すことができる。
【００２４】
したがって、板面に付着している面ファスナー１４０上に新たな処理容器１００を置いて押し付けるだけで固定できるので、板面の面ファスナー１４０に対して処理容器を複数回着脱できる。また、面ファスナー１４０を板面から剥離する場合には、表面の雌係合シート１４１を引き上げるだけでよいから、簡単に作業することができる。
【００２５】
そして、処理容器の位置を変更する場合、若しくは板面Ｄを清掃する際等においては、処理容器１００を持ち上げて取り外し、板面Ｄに両係合シート１４１，１４２が係合した状態で固着されて残っている面ファスナー１４０を上に引き上げて剥がせば、面ファスナー１４０は両係合シート１４１，１４２が係合した状態のままで板面Ｄから取り外すことができるので、面ファスナー１４０は雌係合シート１４１と雄係合シート１４２とが分離することがない。
【００２６】
次に、本発明に係る処理容器の各部の構造について図面を参照して説明する。図２は図１の処理容器の平面図、図３は図２の蓋本体の分解斜視図、図４は図２の蓋本体のＡ−Ａ線での断面図、図５は図２の蓋本体を分解した状態のＢ−Ｂ線での断面図、図６は処理容器の使用状態での一部切欠側面図、図７（ａ），（ｂ）は処理容器の開口状態の説明図、図８は注射器から注射針を外す際の処理容器の作用を示す説明図である。なお、各図において同符号は同じものを示している。
【００２７】
図２〜図６に示すように、処理容器の蓋本体１１０には、略長方形の基台１１１の中央部に所定高さで円筒状に上方に突出した投棄部１１２が設けられ、投棄部１１２に被せられるキャップ体１２０を備えている。
【００２８】
前記蓋本体１１０の基台１１１の各辺１１１ａ，１１１ｂからは、ほぼ垂直に下方に突出して所定長さのスカート部１１３，１１４が延設されている。基台１１１の（短い方の）辺１１１ａに延設されているスカート部１１３の中央部分には、先端の内側に鉤部が形成されて辺１１１ａ側を付け根として鉤部が外部に僅かに広げられる弾性構造の舌片１１３ａが形成されている。
【００２９】
前記基台１１１の中央部には投棄部１１２を構成する円筒状の周壁１１５を設けてあり、その外周面には所定の厚みで突出した環状のリブ１１６が形成されている。また、投棄部１１２の円形の上面部１１７には、直線状の開口辺１１９を有する略半円状の第１の投入孔１１８が形成されている。
【００３０】
キャップ体１２０は、投棄部１１２に回動可能に被着する形状である。即ち、キャップ体１２０は、円形の上面部１２７周縁に周壁２５を形成した浅い皿状であって、上面部１２７には、径方向に延在する直線状の開口辺１２９を有する略半円状の第２の投入孔１２８を有するが、この場合、キャップ体１２０の開口辺１２９の中心から第２の投入孔１２８を除く上面部１２７の端縁までの長さの寸法Ｌ３は、投棄部１１２の開口辺１１９の中心から第１の投入孔１１８を含む上面部１１７の端縁まで長さの寸法Ｌ１より余裕を持たせた長さ（即ち、Ｌ３＝Ｌ１＋α）となるようにする。
【００３１】
キャップ体１２０の周壁１２５の内周面には、投棄部１１２に設けたリブ１１６と係合してキャップ体１２０を回動可能に支持する複数の突起１２６，１２６，・・が所定の厚みで突出して環状に所定の角度間隔で離間して形成されている。また、前記周壁１２５の外周面には、複数の軸方向に細長く形成された滑り止めのリブ１２４，１２４，・・が所定の厚みで突出して所定の角度間隔で離間して形成されている。
【００３２】
次に投棄部１１２へキャップ体１２０を取付ける手順について説明する。キャップ体１２０を投棄部１１２に被せて、上から押し込んでキャップ体１２０の周壁１２５の内周面に設けた複数の突起１２６，１２６が投棄部１１２の環状の周壁１１５の外周面に設けたリブ１１６を乗り越えるようにして突起１２６とリブ１１６を係合すれば、キャップ体１２０は投棄部１１２に回動可能に支持されている。
【００３３】
また、蓋本体１１０を容器本体１５０へ取付ける手順は、蓋本体１１０を容器本体１５０の上面に被せ、舌片１１３ａを容器本体１５０の開口周縁のフランジ１５２を乗り越えるようにして舌片１１３ａをフランジ１５２に係合して蓋本体１１０を容器本体１５０の上面に被着すればよい。
【００３４】
次に処理容器１００に形成される開口部の開口状態がキャップ体１２０の回動により調整される状態について図７（ａ），（ｂ）を参照して説明する。
【００３５】
処理容器１００を使用するときには、図７（ａ）に示すように投棄部１１２に取付けたキャップ体１２０を回動して、キャップ体１２０に設けられた第２の投入孔１２８を投棄部１１２に設けられた第１の投入孔１１８と重ねて、両投入孔１２８の一部が重合することにより開口部１３０が構成されるようにする。
そして、この開口部１３０は、開口辺１１９と開口辺１２９および第１の投入孔１１８や第２の投入孔１２８の弧状縁により三角形状で、キャップ体１２０の回転によって頂角θが９０度以内の鋭角に設定する。
【００３６】
次に、図８を参照して注射器１３１の針装着用の小径部（針装着部）１３２に、装着されている注射針Ｎの基端筒部（受部）１３３を開口部１３０により抜取る手順について説明する。
図８は、図１に示した処理容器１００の上面の蓋本体１１０に注射器１３１の針装着部１３２を装着した状態の概略図であり、容器本体１５０は、面ファスナー１４０により板面Ｄに着脱可能に固定した状態である。そして、開口部１３０によって注射器１３１から注射針Ｎを引き抜いて外すときに作用する上方への力は、容器本体１５０と蓋本体１１０とが嵌合している嵌合力、及び容器本体１５０が面ファスナー１４０によって板面Ｄに固定されている固定力より充分に小さくなるように設定されている。
【００３７】
先ず、開口部１３０を適宜な鋭角に設定したら、注射器１３１を手で保持したまま注射針Ｎの先端から開口部１３０に上から挿入し、針装着部１３２の外面に開口辺１１９を当接し、同時に、キャップ体１２０の開口辺１２９を針装着部１３２の外周面上方に当接させる。
【００３８】
この状態において、注射器１３１を引き上げると注射針Ｎの基端面１３３ａが開口辺１１９と開口辺１２９とで支えられるので、注射針Ｎの受部１３３は針装着部１３２から確実に離脱して落下し、処理容器１００に収納することができる。
【００３９】
上記の注射針を抜き取る離脱操作において、注射器を引き上げて注射針を針装着部１３２から抜ける時の衝撃力はきわめて微小であって、キャップ体１２０が微細回動したり、面ファスナー１４０によって処理容器１００が微動することがない。
そして、前記したとおり、注射針Ｎを引き抜いて外すときに上面１１７やキャップ体の上面１２７に作用する上方への力は、容器本体１５０と蓋本体１１０とが嵌合している嵌合力、及び容器本体１５０が面ファスナー１４０によって板面Ｄに固定されている固定力より充分に小さいものである。
【００４０】
このため、注射針を抜き取る作業時には、キャップ体１２０、蓋本体１１０及び容器本体１５０を手で押さえたり把持する必要がないばかりでなく、注射器を手で持ち替えたり他の人に渡す必要がない。そして、患者に注射した注射器を、注射針に触れることなくそのまま開口部１３０に挿通して注射針を外すことができるので、医師や看護婦等が注射針に触れることがない。したがって、患者への注射終了後に誤って指先や手を刺す事故を確実に防止することができる。
そして、キャップ体１２０を回転させて開口部１３０の頂角θを調節することにより、注射器のサイズに関係なくどの様な径の注射針でも確実に、指先や手に接触させないで、抜き取ることができる。
【００４１】
そして、使用済みの処理容器１００は、開口部１３０を直接粘着テープで封止することもできるが、図７（ｂ）に示すようにキャップ体１２０に設けられた第２の投入孔１２８を投棄部１１２に設けられた第１の投入孔１１８と重ならないようにして第２の投入孔１２８を閉じて粘着テープで封止しても良い。
なお、キャップ体１２０を回転して第１の投入孔１１８と第２の投入孔１２８とを一致させ、開口部１３０を半円状にまだ拡大すると、使用済みの注射器、脱脂綿、ガーゼなどの医療用補助具を処理容器に収納して廃棄することができる。
【実施例２】
【００４２】
図９は本発明に係る処理容器の実施例２の分解斜視図、図１０は実施例２の処理容器の使用例の説明図である。実施例２が実施例１と異なる点は、投棄部１１２ａに設けられた第１の投入孔１１８及びキャップ体１２０ａに設けられた第２の投入孔１２８の直径方向の開口辺１１９，１２９の両端付近のそれぞれに僅かに円弧状に窪む凹部１１９ａ，１１９ｂ及び凹部１２９ａ，１２９ｂがそれぞれ設けられている点であり、その他の構成は同じであり、容器本体１５０は、面ファスナー１４０により板面Ｄに着脱可能に固定した状態である。また、開口部１３０によって注射器１３１から注射針Ｎを引き抜いて外すときに作用する上方への力は、容器本体１５０と蓋本体１１０とが嵌合している嵌合力、及び容器本体１５０が面ファスナー１４０によって板面Ｄに固定されている固定力より充分に小さくなるように設定されている。
【００４３】
実施例２において、注射器１３１の針装着部１３２に、装着されている注射針Ｎの受部１３３を開口部１３０により抜取る手順について説明する。先ず、開口部１３０を適宜な鋭角に設定したら、注射器１３１を手で保持したまま注射針Ｎの先端から挿入して、針装着部１３２の外面に開口辺１１９に設けた凹部１１９ａを当接し、同時に、キャップ体１２０の開口辺１２９に設けた凹部１２９ａを針装着部１３２の外周面上方に当接させて注射器１３１を保持する。
【００４４】
この状態において、注射器１３１を上に引き上げると注射針Ｎの基端面１３３ａが凹部１１９ａと凹部１２９ａとで支えられるので、注射針Ｎの受部１３３は針装着部１３２から確実に離脱して落下し、処理容器１００に収納することができる。
【実施例３】
【００４５】
図１１は本発明に係る処理容器の実施例３の側面図である。実施例３が実施例１、２と異なる点は、処理容器１００の固定手段として両面テープ１６０を採用した点である。両面テープ１６０は処理容器１００に貼り付けずに、処理容器に添付してセット品として販売することができる。
前記した両面テープ１６０は、弾力性を有する厚手の基材テープ１６０ａを芯材としてその両面に接着剤により粘着層１６１が形成され、両面の粘着層１６１を覆うように剥離シート１６２が剥離可能に貼り付けられている。
【００４６】
前記実施例３に係わる処理容器１００を医療用テーブル、移動用ワゴンの卓上などの板面Ｄに取付ける場合には、先ず、両面テープ１６０の一方の粘着層１６１の剥離シート１６２を剥がして容器本体１５０の底部下面１５１に粘着して固定し、他方の粘着層１６１の剥離シート１６２を剥離して容器本体１５０を板面Ｄに着脱可能に取付け、また、蓋本体１１０を容器本体１５０に嵌合して処理容器１００を使用できるようにする。また、開口部１３０で注射器１３１から注射針Ｎを外すときに作用する力は、容器本体１５０と蓋本体１１０との嵌合力及び容器本体１５０と板面Ｄとの固定力より充分に小さく設定するものである。
【００４７】
そして、使用済の処理容器１００を廃棄する際には、処理容器１００の底部に両面テープ１６０を付着した状態で、処理容器１００を持ち上げて板面Ｄから取り外して、容易に廃棄することができる。この場合も、注射針を抜き取る場合、蓋本体１１０及び容器本体１５０を手で押さえたり把持する必要がないので、医師や看護婦等の医療従事者やその周囲の従事者が注射器１３１のみを持って注射針に触れる必要がないため、指先や手を刺す事故を確実に防止することができる。
【実施例４】
【００４８】
図１２は本発明に係る処理容器の実施例４の側面図である。実施例４も処理容器１００の固定手段として両面テープ１６０を採用したが、実施例４では、処理容器１００の底部下面１５１の複数個所に両面テープ１６０を固着し、各両面テープ１６０の固着されない側の粘着層１６１には剥離シート１６２が貼り付けられている状態で販売される。
【００４９】
実施例４の処理容器１００を医療用テーブル、移動用ワゴンの卓上などの板面Ｄに着脱可能に取付ける場合には、処理容器１００の底部下面１５１に固着されている各両面テープ１６０から剥離シート１６２を剥がして、容器本体１５０を板面Ｄに着脱可能に取付け、また、蓋本体１１０を容器本体１５０に嵌合して処理容器１００を使用できるようにする。また、開口部１３０で注射器１３１から注射針Ｎを外すときに作用する力は、容器本体１５０と蓋本体１１０との嵌合力及び容器本体１５０と板面Ｄとの固定力より充分に小さく設定する。
【００５０】
そして、使用済の処理容器１００を廃棄する際には、実施例３と同様に処理容器１００の底部に両面テープ１６０を付着した状態で、処理容器１００を持ち上げて板面Ｄから取り外して、容易に廃棄することができる。この場合も、注射針を抜き取る場合、蓋本体１１０及び容器本体１５０を手で押さえたり把持する必要がないので、医師や看護婦等の医療従事者やその周囲の従事者が注射器１３１のみを持って注射針に触れる必要がないため、指先や手を刺す事故を確実に防止することができる。
【００５１】
なお、上記した実施例３および４において、注射器から注射針を外して処理容器に収納するのは、前記実施例１および２と同様であって、注射針を人体に全く触れないで操作することができる。
【００５２】
以上説明したように本発明の使用済み注射針の処理容器は、注射針を処理容器に廃棄するときに、予め注射器から注射針を外しておかなくても、注射針を廃棄するときに確実に注射針だけを注射器から外して収納することができるので注射針以外の医療用廃棄物や使用済みの他の医療用具を処理容器に収納することができる。
【００５３】
また、容器本体をシート材により板面に着脱可能に固定した状態において、容器本体と蓋本体との嵌合力及び容器本体と板面との固定力より充分に小さくて、注射器から注射針を人体に全く触れることなく確実に抜取ることができるので、操作ミスにより注射針が誤って手の平などに刺さる事故を確実に防止することができる。さらに、処理容器が卓上用の小型のものであっても、操作時に不要な力を加える必要がないので医療従事者が片手で操作することができ実用的価値の高いものである。
【００５４】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００５５】
【図１】（ａ），（ｂ）は本発明に係る処理容器１００の実施例１の斜視図である。
【図２】本発明に係る処理容器の実施例１の平面図である。
【図３】図２の蓋本体の分解斜視図である。
【図４】図２の蓋本体のＡ−Ａ線での断面図である。
【図５】図２の蓋本体を分解した状態のＢ−Ｂ線での断面図である。
【図６】処理容器の使用状態での一部切欠側面図である。
【図７】（ａ），（ｂ）は処理容器の開口状態の説明図である。
【図８】注射器から注射針を外す際の処理容器の作用を示す説明図である。
【図９】実施例２の分解斜視図である。
【図１０】実施例２の処理容器の作用を示す説明図である。
【図１１】実施例３の側面図である。
【図１２】実施例４の側面図である。
【符号の説明】
【００５６】
１００  処理容器
１１０，１１０ａ  蓋本体
１１１  基台
１１１ａ，１１１ｂ  辺
１１２，１１２ａ  投棄部
１１３，１１４  スカート部
１１５  周壁
１１６  リブ
１１７  上面
１１８  第１の投入孔
１１９，１２９  開口辺
１１９ａ，１１９ｂ，１２９ａ，１２９ｂ  凹部
１２０，１２０ａ  キャップ体
１２４  細長いリブ
１２５  環状の周壁
１２６  突起
１２７  キャップ体の上面
１２８  第２の投入孔
１３０  開口部
１３１  注射器
１３１ａ  本体筒部
１３２  針装着部
１３３  受部
１３３ａ  基端面
１４０  面ファスナー
１４１  雌係合シート
１４１ａ，１４２ａ  係合面
１４１ｂ，１４２ｂ  接着剤層
１４２  雄係合シート
１５０  容器本体
１５１  底部下面
１５２  フランジ
１５６  脚部
１６０  両面テープ（シート材）
１６０ａ  基材テープ
１６１  粘着層
１６２  剥離シート
Ｎ  注射針
【図１】
2006247091.tif 000003
【図２】
2006247091.tif 000004
【図３】
2006247091.tif 000005
【図４】
2006247091.tif 000006
【図５】
2006247091.tif 000007
【図６】
2006247091.tif 000008
【図７】
2006247091.tif 000009
【図８】
2006247091.tif 000010
【図９】
2006247091.tif 000011
【図１０】
2006247091.tif 000012
【図１１】
2006247091.tif 000013
【図１２】
2006247091.tif 000014